(57)【特許請求の範囲】
【請求項１】
基面（２２）と、
前記基面（２２）に第１の折り目（２４）を介して折り曲げられた状態で連設される第１の囲繞面（２６）と、
前記第１の囲繞面（２６）に第２の折り目（２８）を介して折り曲げられた状態で連設されるとともに前記基面（２２）に対して折り曲げられた位置に配置され、前記基面（２２）及び前記第１の囲繞面（２６）の端部に配置される第１の介在片（３０）と、
前記第１の介在片（３０）と第３の折り目（３８）を介して折り曲げられた状態で連設されるとともに、前記第１の囲繞面（２６）が折り曲げられた側において前記基面（２２）に重なるように配置される角部被覆片（４０）と、
前記基面（２２）に第４の折り目（４４）を介して折り曲げられた状態で連設され、前記第１の囲繞面（２６）に対向する位置に配置される第２の囲繞面（４６）と、
前記第２の囲繞面（４６）に第５の折り目（４８）を介して折り曲げられた状態で連設され、前記第１の介在片（３０）の外側に配置される第２の介在片（５０）と、
前記第１の折り目（２４）が形成された部分において前記基面（２２）及び前記第１の囲繞面（２６）の端部に連続して形成される第１の切欠き部（４２）と、
前記第５の折り目（４８）が形成された部分において前記第２の囲繞面（４６）及び前記第２の介在片（５０）の端部に連続して形成される第２の切欠き部（５２）とを含み、
基面（２２）と第１の囲繞面（２６)と第１の介在片（３０）と角部被覆片（４０）と第２の囲繞面（４６）と第２の介在片（５０）とは、板材で形成され、
第３の折り目（３８）は、第１の折り目（２４）に対して、板材（２０）の厚み分だけ第１の介在片（３０）側にずれて形成され、且つ、第１の折り目（２４）を挟んで、基面（２２）及び第１の囲繞面（２６）にわたって、第１の切欠き部（４２）が形成され、
第１の切欠き部（４２）は、第１の折り目（２４）を挟んで、第１の囲繞面（２６）の第１の介在片（３０）側端から基面（２２）の角部被覆片（４０）側端にのび、
第５の折り目（４８）は、第２の折り目（２８）に対して、板材（２０）の厚み分だけ第２の介在片（５０）側にずれて形成され、且つ、基面（２２）側において、第５の折り目（４８）の両側にわたって、第２の囲繞面（４６）及び第２の介在片（５０）の端部に、第２の切欠き部（５２）が形成され、
第２の切欠き部（５２）は、第５の折り目（４８）を挟んで、第２の囲繞面（４６）の第４の折り目（４４）側端から第２の介在片（５０）の第１の介在片（３０）側端にのび、
角部被覆片（４０）は、基面（２２）の内側面よりやや第１の囲繞面（２６）側に位置して基面（２２）の内側面上に配設され、
第１の切欠き部（４２）は、第１の折り目（２４）の第１の介在片（３０）及び角部被覆片（４０）側の端部において、基面（２２）と第１の囲繞面（２６）の両方にわたって形成され、且つ、基面（２２）と角部被覆片（４０）とが重なり、第１の囲繞面（２６）及び第１の介在片（３０）が集合した角部に配置され、
第２の切欠き部（５２）は、第５の折り目（４８）の角部被覆片（４０）側の端部において、第２の囲繞面（４６）と第２の介在片（５０）の両方にわたって形成され、且つ、基面（２２）と角部被覆片（４０）とが重なった部分、第１の介在片（３０）と第２の介在片（５０）とが重なった部分及び第２の囲繞面（４６）が集合した角部に配置され、
第１の折り目（２４）及び第４の折り目（４４）を介して、第１の囲繞面（２６）と第２の囲繞面（４６）とは基面（２２）を挟んで対向し、第２の折り目（２８）を介して第１の介在片（３０）は第１の囲繞面（２６）に直交し、第５の折り目（４８）を介して第２の介在片（５０）は第２の囲繞面（４６）に直交し、第３の折り目（３８）を介して角部被覆片（４０）は基面（２２）側に位置し、前記介在片（５０）は、前記囲繞面（２６）と前記囲繞面（４６）との間において前記囲繞面（２６）と前記囲繞面（４６）との端部を塞ぐように立設された箱形であり、
前記角部被覆片（４０）は前記第３の折り目（３８）の近傍において前記第１の切欠き部（４２）及び前記第２の切欠き部（５２）を内側から塞ぐように配置され、
前記第１の折り目（２４）、前記第２の折り目（２８）及び前記第３の折り目（３８）の端部に形成される角部と、前記第３の折り目（３８）、前記第４の折り目（４４）及び前記第５の折り目（４８）の端部に形成される別の角部を形成され、
角部被覆片（４０）の端部が第１の囲繞面（２６）に当接され、第１の切欠き部４２の内側に角部被覆片（４０）が存在し、第１の切欠き部４２が配置された部分に、箱形の内側に通じる貫通孔が形成されないで、且つ第１の介在片（３０）及び角部被覆片（４０）の端部が第２の囲繞面（４６）に当接され、第２の切欠き部５２の内側に第１の介在片（３０）及び角部被覆片（４０）が存在し、第２の切欠き部５２が配置された部分に、箱形の内側に通じる貫通孔が形成されない、ケース。
【請求項２】
前記基面（２２）、前記第１の囲繞面（２６）、前記第１の介在片（３０）、前記角部被覆片（４０）、前記第２の囲繞面（４６）及び前記第２の介在片（５０）は合成樹脂で形成され、前記第１の介在片（３０）と前記第２の介在片（５０）とを接合して箱型に形成された、請求項１に記載のケース。
【請求項３】
前記第２の折り目（２８）に沿って前記第１の介在片（３０）に切れ目が形成されるとともに、前記第２の介在片（５０）に折り曲げられた状態で連設して形成される挿入片を含み、前記挿入片を前記切れ目に挿入することにより箱型が保持される、請求項１に記載のケース。
【請求項４】
前記基面（２２）は底面または天面であり、前記第１の囲繞面（２６）は前記基面（２２）の一端縁より立設される第１の胴面または前記天面（２２）の一端縁より垂設される第１の垂面であり、前記第２の囲繞面（４６）は前記基面（２２）の他端縁より立設される第２の胴面または前記天面（２２）の他端縁より垂設される第２の垂面であり、前記第１の介在片（３０）は前記第１の胴面と前記第２の胴面との間において前記第１の胴面と前記第２の胴面の端部を塞ぐように立設される第１の襠部片または前記第１の垂面と前記第２の垂面との間において前記第１の垂面と前記第２の垂面の端部を塞ぐように垂設される第１の襠部片であり、前記第２の介在片（５０）は前記第１の胴面と前記第２の胴面との間において前記第１の胴面と前記第２の胴面の端部を塞ぐように立設されるとともに第１の襠部片に重なるように配置される第２の襠部片または前記第１の垂面と前記第２の垂面との間において前記第１の垂面と前記第２の垂面の端部を塞ぐように垂設されるとともに第１の襠部片に重なるように配置される第２の襠部片である、請求項１ないし請求項３のいずれかに記載のケース。
【請求項５】
前記第１の切欠き部（４２）は前記角部において前記第１の折り目（２４）の端部において前記第１の折り目（２４）から前記基面（２２）の端部に続く円弧状または直線状の空隙部と前記第１の折り目（２４）から前記第２の折り目（２８）に続く円弧状または直線状の空隙部とで形成され、前記第２の切欠き部（５２）は前記別の角部において前記第５の折り目（４８）から前記第２の介在片（５０）の端部に続く円弧状または直線状の空隙部と前記第５の折り目（４８）から前記第４の折り目（４４）に続く円弧状または直線状の空隙部とで形成される、請求項１に記載のケース。
【発明の詳細な説明】
【技術分野】
【０００１】
この発明は、ケースに関し、特にたとえば、カードケースなどとして用いることができるケースの角部の構造に関する。
【背景技術】
【０００２】
図２８は、従来のカードケースの一例を示す斜視図である。カードケース１は、底面２と、底面２の両側で対向する２つの側面３と、２つの側面３の両側を塞ぐようにして対向する２つの端面４と、底面２の反対側開口部を開閉するための蓋部材５とを含む。
【０００３】
このようなカードケース１を作製するために、図２９に示すような展開図を有する板材が準備される。図２９に示す板材において、点線は折り目を示している。この展開図において、カードケース１の底面２となる面の両側に、折り目を介して側面３となる面が形成される。さらに、側面３となる面には、折り目を介して端面４となる面が形成される。また、底面２となる面には、端面４となる面と同じ向きに、端面４に重なって配置されるフラップ面６が折り目を介して形成される。また、側面３となる面の一方には、底面２となる面に対向して、折り目を介して蓋部材５となる面が形成される。
【０００４】
このような板材を用いて、底面２となる面の周囲の側面３となる面及びフラップ面６が同じ向きに折り曲げられる。次に、端面４となる面が、折り曲げられたフラップ面６に重なるように折り曲げられる。したがって、底面２となる面の一端側において、フラップ面６と２つの端面４となる面が重なり合った状態となり、底面２となる面の他端側においても同様の構成が形成される。このような状態で、重なり合った２つの端面４となる面を接着することにより、カードケース１が作製される。このようなカードケース１では、フラップ面６が形成されていることにより、底面２と端面４との間に隙間が形成されない（特許文献１参照）。
【先行技術文献】
【特許文献】
【０００５】
【特許文献１】特開２０００−３２５１２９号公報
【発明の概要】
【発明が解決しようとする課題】
【０００６】
しかしながら、このような従来のカードケースでは、底面と側面と端面との間に形成される角部が尖った状態となり、カードケースを持ったときに、この角部が手に当たって痛い思いをすることがある。そこで、カードケースの角部を削って丸みを持たせることにより、尖った角部をなくすことができる。しかしながら、カードケースの角部を削ると、角部に孔が形成され、見た目においても不細工なケースとなってしまう。
【０００７】
それゆえに、この発明の主たる目的は、丸みを帯びているにもかかわらず孔が形成されていない角部の構造を有するケースを提供することである。
【課題を解決するための手段】
【０００８】
この発明は、基面（２２）、前記基面（２２）と第１の折り目（２４）を介して折り曲げられた状態で連結される第１の囲繞面（２６）、前記第１の囲繞面（２６）と第２の折り目（２８）を介して折り曲げられた状態で連結されるとともに前記基面（２２）に対して折り曲げられた位置に配置され、前記基面（２２）及び前記第１の囲繞面（２６）の端部に配置される第１の介在片（３０）、前記第１の介在片（３０）と第３の折り目（３８）を介して折り曲げられた状態で連結されるとともに、前記第１の囲繞面（２６）が折り曲げられた側において前記基面（２２）に重なるように配置される角部被覆片（４０）、前記基面（２２）と第４の折り目（４４）を介して折り曲げられた状態で連結され、前記第１の囲繞面（２６）に対向する位置に配置される第２の囲繞面（４６）、前記第２の囲繞面（４６）と第５の折り目（４８）を介して折り曲げられた状態で連結され、前記第１の介在片（３０）の外側に配置される第２の介在片（５０）、前記第１の折り目（２４）が形成された部分において前記基面（２２）及び前記第１の囲繞面（２６）の端部に連続して形成される第１の切欠き部（４２）、前記第５の折り目（４８）が形成された部分において前記第２の囲繞面（４６）及び前記第２の介在片（５０）の端部に連続して形成される第２の切欠き部（５２）を含み、前記角部被覆片（４０）は前記第３の折り目（３８）の近傍において前記第１の切欠き部（４２）及び前記第２の切欠き部（５２）を内側から塞ぐように配置され、前記第１の折り目（２４）、前記第２の折り目（２８）及び前記第３の折り目（３８）の端部に形成される角部と前記第３の折り目（３８）、前記第４の折り目（４４）及び前記第５の折り目（４８）の端部に形成される別の角部とを含むケースである。
上述のような角部の構造を有するケースを形成することにより、その角部が手に当たっても痛い思いをすることはなく、しかも角部に孔が形成されていない見栄えの良好なケースを得ることができる。
【０００９】
このようなケースにおいて、前記基面（２２）、前記第１の囲繞面（２６）、前記第１の介在片（３０）、前記角部被覆片（４０）、前記第２の囲繞面（４６）及び前記第２の介在片（５０）は合成樹脂で形成され、前記第１の介在片（３０）と前記第２の介在片（５０）とを接合して箱型に形成されている構成とすることができる。
ケースとしては、合成樹脂を材料として作製することができ、この場合、溶着によって重なり合った面を接合することができる。
【００１０】
また、第２の折り目に沿って第３の面に切れ目が形成されるとともに、第６の面に折り曲げられた状態で連結して形成される第７の面を含み、第７の面を切れ目に挿入することにより箱型が保持されてもよい。
たとえば、紙などでケースを作製する場合、第２の折り目に沿って第３の面に切れ目を形成し、第６から続く第７の面を折り曲げて切れ目に挿入することにより、箱型を保つことができる。
【００１１】
また、前記基面（２２）は、底面であり、前記第１の囲繞面（２６）は、前記基面（２２）の一端縁より立設される第１の胴面であり、前記第２の囲繞面（４６）は前記基面（２２）の他端縁より立設される第２の胴面である。
【００１２】
前記第１の介在片（３０）は、前記第１の胴面と前記第２の胴面との間において前記第１の胴面と前記第２の胴面の端部を塞ぐように立設される第１の襠部片（３０）である。
前記第２の介在片（５０）は、前記第１の胴面と前記第２の胴面との間において前記第１の胴面と前記第２の胴面の端部を塞ぐように立設されるとともに第１の襠部片（３０）に重なるように配置される第２の襠部片（５０）である。
【００１３】
また、前記基面（２２）は天面であり、前記第１の囲繞面（２６）は前記天面（２２）の一端縁より垂設される第１の垂面であり、前記第２の囲繞面（４６）は前記天面（２２）の他端縁より垂設される第２の垂面であり、前記第１の介在片（３０）は前記第１の垂面と前記第２の垂面との間において前記第１の垂面と前記第２の垂面の端部を塞ぐように垂設される第１の襠部片（３０）であり、前記第２の介在片（５０）は前記第１の垂面と前記第２の垂面との間において前記第１の垂面と前記第２の垂面の端部を塞ぐように垂設されるとともに第１の襠部片（３０）に重なるように配置される第２の襠部片（５０）とすることができる。
【発明の効果】
【００１４】
この発明によれば、孔が形成されず、尖った角部を有しない角部の構造を得ることができる。このような角部の構造を用いてケースを作製すれば、角部が手に当たっても痛みを感じることなく、良好な外観を有するケースを得ることができる。
【００１５】
この発明の上述の目的、その他の目的、特徴及び利点は、図面を参照して行う以下の発明を実施するための形態の説明から一層明らかとなろう。
【図面の簡単な説明】
【００１６】
【図１】この発明の角部の構造を用いたケースの一例を示す斜視図である。
【図２】図１図示ケースの閉扉状態の斜視図解図である。
【図３】図１図示ケースの開扉状態の正面図解図である。
【図４】（Ａ）は図１図示ケースの開扉状態の側面図解図であり、（Ｂ）は図１図示ケースの閉蓋状態の側面図解図である。
【図５】図１図示ケースの閉蓋状態の正面図解図である。
【図６】図１図示ケースの展開図である。
【図７】図６のＡ部拡大図である。
【図８】図６に示す板材の第２の面を折り曲げた状態を示す斜視図である。
【図９】図８に示す状態から第４の面を折り曲げた状態を示す斜視図である。
【図１０】図９に示す状態から第３の面を折り曲げた状態を示す斜視図である。
【図１１】図１０に示す状態から第５の面を折り曲げた状態を示す斜視図である。
【図１２】図１１に示す状態から第６の面を折り曲げた状態を示す斜視図である。
【図１３】図６に示す板材を折り曲げて形成したボックスの正面図である。
【図１４】図１３に示すボックスの側面図である。
【図１５】図１３ｂ部の拡大図解図である。
【図１６】図１４Ｃ−Ｃ線拡大断面図である
【図１７】蓋部を構成する開閉部材の平面図解図である。
【図１８】蓋部を構成する開閉部材の底面図解図である。
【図１９】蓋部を構成する開閉部材の正面図解図である。
【図２０】蓋部を構成する開閉部材の背面図解図である。
【図２１】開閉部材のボックスへの取り付け方法を示す側面図解図である。
【図２２】本発明にかかる角部の構造を適用した蓋部材の正面図解図である。
【図２３】図２２図示蓋部材の組み立て方法を示す斜視図解図である。
【図２４】図２２図示蓋部材の組み立て方法を示す斜視図解図である。
【図２５】図２２図示蓋部材の組み立て方法を示す斜視図解図である。
【図２６】図２２図示蓋部材の組み立て方法を示す斜視図解図である。
【図２７】図２２図示蓋部材の組み立て方法を示す斜視図解図である。
【図２８】従来のケースの一例を示す斜視図である。
【図２９】図２８に示す従来のケースの展開図である。
【発明を実施するための形態】
【００１７】
図１は、この発明にかかる角部の構造を用いたケースの一例を示す図解図である。ケース１０は、ボックス１２と蓋部材１４とを含む。
ボックス１２は、前胴部４６と、後胴部２６と、右側の襠部及び左側の襠部（第２の襠部片５０及び第１の襠部片３０）と、底部２２と、開口部１１２とを備える。
ボックス１２は、例えば、図６に示すような板材２０を用いて形成される。
板材２０は、例えば、ポリプロピレン等の比較的弾力性を有する合成樹脂シートを、トムソン加工等によって成形することにより形成される。
【００１８】
この発明にかかるケース１０の角部の構造は、第１の面２２と、第１の折り目２４を介して折り曲げられた状態で前記第１の面２２と連結される第２の面２６と、第２の折り目２４を介して折り曲げられた状態で前記第２の面２６と連結されるとともに前記第１の面２２に対して折り曲げられた位置に配置され、前記第１の面２２及び前記第２の面２６の端部に配置される第３の面３０と、第３の折り目３８を介して折り曲げられた状態で前記第３の面３０と連結されるとともに、前記第２の面２６が折り曲げられた側において前記第１の面２２に沿うように配置される第４の面４０とを備える。
更に、このケース１０の角部の構造は、第４の折り目４４を介して折り曲げられた状態で前記第１の面２２と連結され、前記第２の面２６に対向するように配置される第５の面４６と、第５の折り目４８を介して折り曲げられた状態で前記第５の面４６と連結され、前記第３の面３０の外側に配置される第６の面５０とを備える。
更に、このケース１０の角部の構造は、前記第１の折り目２４が形成された部分において前記第１の面２２及び前記第２の面２６の端部に連続して形成される第１の切欠き部４２と、及び前記第５の折り目４８が形成された部分において前記第５の面４６及び前記第６の面５０の端部に連続して形成される第２の切欠き部５２とを含む。
更に、前記第４の面４０は、前記第３の折り目３８の近傍において対向する前記第２の面２６と前記第５の面４６の内側の幅方向を塞ぐように配置されている。
この隅部の構造は、前記第１の折り目２４、前記第２の折り目２８及び前記第３の折り目３８の端部に形成される角部と、前記第３の折り目３８、前記第４の折り目４４及び前記第５の折り目４８の端部に形成される別の角部とを含む。
【００１９】
前記第１の切欠き部４２は、ボックス１２の前記角部において前記第１の折り目２４の端部において前記第１の折り目２４から前記第１の面２２の端部に続く円弧状の空隙部と前記第１の折り目２４から前記第２の折り目２８に続く円弧状の空隙部とで形成されている。
そして、前記第２の切欠き部５２は、ボックス１２の前記別の角部において前記第５の折り目４８から前記第６の面５０の端部に続く円弧状の空隙部と、前記第５の折り目４８から前記第４の折り目４４に続く円弧状の空隙部とで形成される。
【００２０】
第１の面２２は、ケース１０の基面２２を構成している。
第２の面２６は、ケース１０の第１の囲繞面２６を構成している。
第３の面３０は、ケース１０の第１の介在片３０を構成している。
第４の面４０は、ケース１０の角部被覆片４０を構成している。
第５の面４６は、ケース１０の第２の囲繞面４６を構成している。
第６の面５０は、ケース１０の第２の介在片５０を構成している。
この実施の形態のケース１０においては、基面２２は、底部２２を構成している。
この実施の形態のケース１０においては、第１の囲繞面２６は、後胴部２６を構成している。
この実施の形態のケース１０においては、第１の介在片３０は、第１の襠部片３０を構成している。
この実施の形態のケース１０においては、第２の囲繞面４６は、前胴部４６を構成している。
この実施の形態のケース１０においては、第２の介在片５０は、第２の襠部片５０を構成している。
【００２１】
前記基面２２は、ボックス１２の底面を構成し、前記第１の囲繞面２６は、前記基面２２の一端縁より立設されるボックス１２の第１の胴面を構成し、前記第２の囲繞面４６は前記基面２２の他端縁より立設されるボックス１２の第２の胴面を構成する。
前記第１の介在片３０は、前記第１の胴面と前記第２の胴面との間において前記第１の胴面と前記第２の胴面の端部を塞ぐように立設されるボックス１２の第１の襠部片３０を構成する。
前記第２の介在片５０は、前記第１の胴面と前記第２の胴面との間において前記第１の胴面と前記第２の胴面の端部を塞ぐように立設されるとともに第１の襠部片３０に重なるように配置されるボックス１２の第２の襠部片５０を構成する。
【００２２】
前記第１の切欠き部４２は、ボックス１２の角部において前記第１の折り目２４の端部において前記第１の折り目２４から前記第１の面２２の端部に続く直線状の空隙部と前記第１の折り目２４から前記第２の折り目２８に続く直線状の空隙部とで形成されてもよい。
前記第２の切欠き部５２は、ボックス１２の別の角部において前記第５の折り目４８から前記第６の面５０の端部に続く直線状の空隙部と、前記第５の折り目４８から前記第４の折り目４４に続く直線状の空隙部とにより形成されてもよい。
【００２３】
板材２０は、ボックス１２を展開した状態において、ボックス１２を分解した状態におけるその全体の外形を備えた、平板状である。
板材２０は、その中央部に略長方形状の第１の面２２を含む。第１の面２２は、幅方向の一方端側に、第１の折り目２４を介して第２の面２６が連設されるように直線状の端縁を形成される。
第２の面２６は、第１の面２２と略々同じ長さを備える平面視略長方形状である。
第２の面２６は、略長方形状に形成されるが、第１の面２２の反対側の端部において、その端部が外側に向かって傾斜するように形成される。
【００２４】
第２の面２６は、長手方向の一端側に、第２の折り目２８を介して第３の面３０が連設されるように直線状の端縁を形成される。
第３の面３０は、第２の折り目２８からみて、第１の面２２の幅と略同じ幅であって、第２の面２６と略同じ長さを備える平面視略長方形状である。第３の面３０は、第２の面２６と第５の面４６との間を塞ぐように形成され、第２の折り目２８に沿って長い略長方形状に形成される。
第３の面３０の長手方向の一端側は、第１の面２２とは反対側における第２の面２６の端部より外側に突出して形成される。この第２の面２６の外側端部（第１の折り目２４とは反対側）より外側に突出した部分に向かって、第２の面２６の端部の外側に向かって傾斜した部分が連設される。
【００２５】
第３の面３０の突出する端部側において、第３の面３０の幅が若干狭くなるように、第３の面３０の外側部分（第２の面２６とは反対側）においてゆるやかに幅が小さくなるように形成される。第３の面３０の幅が狭くなった部分において、第３の面の長手方向に沿って２つの円形の孔３２、３４が形成される。ここで、第３の面３０の先端側の孔３２は、内側の孔３４より小径に形成される。さらに、第２の折り目２８形成部において、第２の面２６の外端部側に、矩形の孔３６が形成される。矩形の孔３６は、第２の折り目２８を挟んで第２の面２６と第３の面３０の両方にわたって形成される。この場合、矩形の孔３６は、第２の面２６側において、開口部の面積が大きくなるように形成される。
【００２６】
さらに、第３の面３０の長手方向の他端側、つまり第１の面２２側には、第３の折り目３８を介して、第４の面４０が連設されるように形成される。したがって、第４の面４０の幅は、第３の面の幅と同様に、第１の面２２の幅と略同じ幅となるように形成される。第４の面４０は、第１の面２２の幅方向の中間部まで延びるように形成される。なお、第４の面４０は、第１の面２２と切り離された平面視長方形状であって、第１の面２２及び第６の面５０とは連結されていない。
【００２７】
第３の折り目３８は、第１の折り目２４に対して、板材２０の厚み分だけ第３の面３０側にずれて形成される。また、第１の折り目２４を挟んで、第１の面２２及び第２の面２６にわたって、第１の切欠き部４２が形成される。第１の切欠き部４２は、例えば半円形に形成されるが、三角形などの形に形成されてもよい。
第１の切欠き部４２は、第１の折り目２４を挟んで、第２の面２６の第３の面３０側端から第１の面２２の第４の面４０側端にのびる。
【００２８】
第１の面２２の幅方向の端部のうちの第２の面２６とは反対側の端部には、第４の折り目４４を介して第５の面４６が、連設されるように形成される。
第５の面４６は、第１の面２２の幅より大きく、第２の面２６の幅より小さい幅を有する長方形状に形成される。
第５の面４６は、第１の面２２及び第２の面２６の長さより第３の面３０の厚み分長い、長さを有している。
【００２９】
さらに、第５の面４６の長手方向の一端側には、第５の折り目４８を介して第６の面５０が連設されるように形成される。
第６の面５０は、第５の折り目４８からの幅が、第３の面３０の幅と略同じ幅となるように形成される。
第５の面４６は、第１の面２２に対向する端部側において、第６の面５０の長さが変化するように形成される。つまり、第５の折り目４８側において、第６の面５０の長さは、第５の面４６の幅に略等しく、第５の折り目４８から遠ざかるにつれてその長さが徐々に短くなるように傾斜して形成され、先端側においては一定の長さを保つように形成される。
第６の面５０は、第３の面３０と対向する端縁が、第２の切欠き部５２を介して第４の折り目４４と連続して直線状にのび、第１の面２２の長手方向の端縁と直交する。
【００３０】
第５の折り目４８は、第２の折り目２８に対して、板材２０の厚み分だけ第６の面５０側（すなわち、第５の面４６より離れる側）にずれて形成される。また、第１の面２２側において、第５の折り目４８の両側にわたって、第５の面４６及び第６の面５０の端部に、第２の切欠き部５２が形成される。
第２の切欠き部５２は、例えば半円形に形成されてもよく、三角形などの形状に形成されてもよい。
第２の切欠き部５２は、第５の折り目４８を挟んで、第５の面４６の第４の折り目４４側端から第６の面５０の第３の面３０側端にのびる。
【００３１】
第１の面２２と第２の面２６と第５の面４６とは並列されており、第１の面２２を挟んで、第２の面２６と第５の面４６とは並列される。
第３の面３０は、第２の面２６の幅方向にのび、第４の面４０は、第１の面２２の幅方向にのび、第６の面５０は第５の面４６の幅方向にのびる。
第３の面３０と第４の面４０と第６の面５０とは並列される。
【００３２】
第１の折り目２４と第４の折り目４４とは、平行にのびる直線である。
第２の折り目２８と第５の折り目４８とは、直線状にのび、第２の折り目２８は第１の折り目２４と直交し、第５の折り目４８は第４の折り目４４と直交する。
第３の折り目３８は、第１の折り目２４と平行にのび、第２の折り目２８と直交する。
【００３３】
第２の折り目２８、第３の面３０、孔３２、３４、３６、第３の折り目３８、第４の面４０、第１の切欠き部４２、第５の折り目４８、第６の面５０及び第２の切欠き部５２は、第１の面２２、第２の面２６及び第５の面４６の長手方向の両側に対称となるように形成される。
【００３４】
板材２０は、第１の折り目２４及び第４の折り目４４において折り曲げて、第１の囲繞面２６と第２の囲繞面４６を基面２２を挟んで対向させ、第２の折り目２８において折り曲げて第１の介在片３０を第１の囲繞面２６に直交させ、第５の折り目４８において折り曲げて第２の介在片５０を第２の囲繞面４６と直交させ、第３の折り目３８において折り曲げて角部被覆片４０を基面２２側に位置させることによって開口箱形に組み立てることにより、ボックス１２が形成される。
【００３５】
この発明にかかるボックス１２は、基面２２と、第１の折り目２４を介して折り曲げられた状態で前記基面２２と連結される第１の囲繞面２６と、第２の折り目２８を介して折り曲げられた状態で前記第１の囲繞面２６と連設されるとともに前記基面２２に対して折り曲げられた位置に配置され、前記基面２２及び前記第１の囲繞面２６の端部に配置される第１の介在片３０とを備える。
更に、ボックス１２は、前記第１の介在片３０と第３の折り目３８を介して折り曲げられた状態で連設されるとともに、前記第１の囲繞面２６が折り曲げられた側において前記基面２２に重なるように配置される角部被覆片４０と、第４の折り目４４を介して折り曲げられた状態で前記基面２２と連設され、前記第１の囲繞面２６に対向する位置に配置される第２の囲繞面４６と、第５の折り目４８を介して折り曲げられた状態で前記第２の囲繞面４６と連結され、前記第１の介在片３０の外側に配置される第２の介在片５０とを備える。
ボックス１２は、前記第１の折り目２４が形成された部分において前記基面２２及び前記第１の囲繞面２６の端部に連続して形成される第１の切欠き部４２と、前記第５の折り目４８が形成された部分において前記第２の囲繞面４６及び前記第２の介在片５０の端部に連続して形成される第２の切欠き部５２とを含む。
ボックス１２は、前記角部被覆片４０は、前記第３の折り目３８の近傍において前記第１の切欠き部４２及び前記第２の切欠き部５２を内側から塞ぐように配置される。前記第１の折り目２４、前記第２の折り目２８及び前記第３の折り目３８の端部に形成される角部と、前記第３の折り目３８、前記第４の折り目４４及び前記第５の折り目４８の端部に形成される別の角部とを含む。
【００３６】
前記基面２２、前記第１の囲繞面２６、前記第１の介在片３０、前記角部被覆片４０、前記第２の囲繞面４６及び前記第２の介在片５０は合成樹脂で形成され、前記第１の介在片３０と前記第２の介在片５０とが溶着されている。
【００３７】
前記第１の切欠き部４２は、前記角部において前記第１の折り目２４の端部において前記第１の折り目２４から前記基面２２の端部に続く円弧状の空隙部と前記第１の折り目２４から前記第２の折り目２８に続く円弧状の空隙部とで形成されている。
前記第２の切欠き部５２は、前記別の角部において前記第５の折り目４８から前記第２の介在片５０の端部に続く円弧状の空隙部と前記第５の折り目４８から前記第４の折り目４４に続く円弧状の空隙部とで形成される。
【００３８】
前記第１の切欠き部４２は、前記角部において前記第１の折り目２４の端部において前記第１の折り目２４から前記基面２２の端部に続く直線状の空隙部と前記第１の折り目２４から前記第２の折り目２８に続く直線状の空隙部とで形成されている。
前記第２の切欠き部５２は前記別の角部において前記第５の折り目４８から前記第２の介在片５０の端部に続く直線状の空隙部と前記第５の折り目４８から前記第４の折り目４４に続く直線状の空隙部とで形成されてもよい。
【００３９】
ここでは、特に、図６に示すＡ部の拡大図である図７の部分の折り曲げが重要である。この場合、まず、図８に示すように、第１の折り目２４において谷折りされて、第２の面２６が第１の面２２の一方面側に向かって折り曲げて立ち上げられる。したがって、第２の面２６、第３の面３０及び第４の面４０は、第１の面２２に対して、略直交するように配置される。
【００４０】
次に、図９に示すように、第３の折り目３８において谷折りされて、第４の面４０が第３の面３０の内側に向かって折り曲げられる。このとき、第３の折り目３８は、第１の折り目２４に対して、板材２０の厚み分だけ第３の面３０側にずれて形成されているため、第４の面４０は、基面２２の内側面よりやや第２の面２６側に位置しており、折り曲げられた第４の面４０の外面と第１の折り目２４とが一直線上に配置される。
【００４１】
次に、図１０に示すように、第２の折り目２８において、第３の面３０が第２の面２６の一方面側、つまり第４の面４０が折り曲げられた側に向かって折り曲げられて、第４の面４０は、基面２２の内側面上に配設される。
このとき、第１の折り目２４が折り曲げられた第４の面４０の外側に配置されているため、第４の面４０の外面に正確に接触するように、第１の面２２が配置される。そのため、第１の面２２が湾曲することなく、第４の面４０の外側に配置される。また、第２の折り目２８において、第３の面３０を折り曲げたとき、第４の面４０の第１の切欠き部４２側の端部が第２の面２６に当接される。
【００４２】
また、第５の折り目４８は、第２の折り目２８に対して、板材２０の厚み分だけ第６の面５０側にずれてすなわち立ち上げられた第３の面３０の外側面側にずれて形成されているため、折り曲げられた第３の面３０の外面と第５の折り目４８とは、一直線上に配置される。
ここで、矩形の孔３６は、第２の折り目２８を挟んで第２の面２６と第３の面３０とにわたって形成されているため、第４の面４０とは反対側において、第２の折り目２８で折り曲げられた第２の面２６及び第３の面３０に連なる貫通孔５４が形成される。
【００４３】
また、第１の折り目２４の第３の面３０及び第４の面４０側の端部において、第１の面２２と第２の面２６の両方にわたって第１の切欠き部４２が形成されている。そのために、第１の切欠き部４２は、第１の面２２と第４の面４０とが重なった部分、第２の面２６及び第３の面３０が集合した角部に配置される。
そのため、第１の切欠き部４２が配置された角部は、尖った状態とならず、丸みを帯びた形状となる。このとき、第４の面４０の端部が第２の面２６に当接されているため、第１の切欠き部４２の内側に第４の面４０が存在し、第１の切欠き部４２が配置された部分に、ボックス１２の内側に通じる貫通孔が形成されない。
【００４４】
次に、図１１に示すように、第４の折り目４４において、第５の面４６が第１の面２２の一方面側（内面側）、つまり内面側に向けて折り曲げられた第３の面３０側に向かって折り曲げられる。それにより、第３の面３０の幅方向の端部が第５の面４６に当接される。第３の面３０は、貫通孔５４とは反対側の端縁が第５の面４６の内面に当接する。このとき、第５の折り目４８は、第２の折り目２８に対して、板材２０の厚み分だけ第６の面５０側にずれて形成されているため、第３の面３０の外面に沿って、第５の折り目４８が配置される。
すなわち、第５の折り目４８は、第３の面３０の外側面に位置して、第６の面５０は、第３の面３０の外側面に配設される。
【００４５】
なお、第５の面４６を折り曲げたとき、すなわち第４の折り目４４を谷折りして第５の面４６を立ち上げたとき、第３の面３０の幅広の部分の長さと、折り曲げられた第５の面４６の高さとを合わせておくことにより、第３の面３０に形成された孔３２、３４の下方において、第３の面３０の幅方向の端部と第５の面４６の面とが当接される。
【００４６】
さらに、図１２に示すように、第５の折り目４８において谷折りして、第６の面５０は、第５の面４６の一方面側、つまり折り曲げられた第３の面３０側に向かって折り曲げられる。このとき、第５の折り目４８が折り曲げられた第３の面３０の外側に配置されているため、第３の面３０の外面に正確に接触するように、第６の面５０は、配置される。そのため、第６の面５０は、湾曲することなく、第３の面３０の外側に配置される。
【００４７】
また、第５の折り目４８の第４の面４０側の端部において、第５の面４６と第６の面５０の両方にわたって第２の切欠き部５２が形成されている。そのために、第２の切欠き部５２は、第１の面２２と第４の面４０とが重なった部分、第３の面３０と第６の面５０とが重なった部分及び第５の面４６が集合した角部に配置される。
そのため、第２の切欠き部５２が配置された角部は尖った状態とならず、丸みを帯びた形状となる。このとき、第３の面３０及び第４の面４０の端部が第５の面４６に当接されているため、第２の切欠き部５２の内側に第３の面３０及び第４の面４０が存在し、第２の切欠き部５２が配置された部分に、ボックス１２の内側に通じる貫通孔が形成されない。
【００４８】
ここで、第６の面５０の長さが第５の折り目４８から離れるにしたがって小さく形成されることにより、第３の面３０に形成された孔３４を確実に露出させることができる。
【００４９】
板材２０が合成樹脂で形成される場合、第３の面３０と第６の面５０との重なり合った部分で溶着されることにより、ボックス１２が形成される。
なお、板材２０の材質によっては、接着剤による接着などによって、第３の面３０と第６の面５０とが接合されてもよい。
また、板材２０が紙などで形成されている場合、第２の折り目２８に沿って第３の面３０に切れ目を形成し、第６の面５０の外側に更に第６の折り目を介して第７の面を形成し、第６の折り目で折り曲げた第７の面を第３の面３０に形成した切れ目に挿入することにより、ボックス１２が形成されてもよい。
【００５０】
第１の面２２は、ケース１０の基面２２を構成している。
第２の面２６は、ケース１０の第１の囲繞面２６を構成している。
第３の面３０は、ケース１０の第１の介在片３０を構成している。
第４の面４０は、ケース１０の角部被覆片４０を構成している。
第５の面４６は、ケース１０の第２の囲繞面４６を構成している。
第６の面５０は、ケース１０の第２の介在片５０を構成している。
この実施の形態のケース１０においては、基面２２は、底部２２を構成している。
この実施の形態のケース１０においては、第１の囲繞面２６は、後胴部２６を構成している。
この実施の形態のケース１０においては、第１の介在片３０は、第１の襠部片３０を構成している。
この実施の形態のケース１０においては、第２の囲繞面４６は、前胴部４６を構成している。
この実施の形態のケース１０においては、第２の介在片５０は、第２の襠部片５０を構成している。
【００５１】
第３の面３０は、第２の面２６の長手方向における両端に左右一対並設されており、対称形で、左右に形成された一方の第２の折り目２８と他方の第２の折り目２８とにおいて、一方の第３の面３０と他方の第３の面３０とを折り曲げられ、対向する。
第６の面５０は、第５の面４６の長手方向における両端に左右一対並設されており、対称形で、左右に形成された一方の第５の折り目４８と他方の第５の折り目４８とにおいて、一方の第６の面５０と他方の第６の面５０と折り曲げられて対向する。
第４の面４０は、第３の面３０の長手方向における第１の面２２側に突設されており、第３の折り目３８において折り曲げられて、第３の面３０が第２の折り目２８で折り曲げられることにより、第１の面２２の内側に位置させられる。
第４の面４０及び第３の折り目３８は、第２の面２６の長手方向における両端に左右一対並列された第３の面３０に、それぞれ形成されている。
第１の切欠き部４２は、第１の折り目２４の長手方向における両端に一対形成され、第２の切欠き部５２は、第４の折り目４４の長手方向における両端に一対形成されている。
【００５２】
第１の折り目２４及び第４の折り目４４は、第１の面２２及び第５の面４６を内側にして谷折りされる。
第２の折り目２８は、第２の面２６及び第３の面３０を内側にして谷折りされる。
第５の折り目４８は、第５の面４６及び第６の面５０を内側にして谷折りされる。
【００５３】
このようにして得られたボックス１２は、図１３及び図１４に示すように、第１の面２２が底面となり、第２の面２６が手前側の第１の胴面となり、第５の面４６が対向する向こう側の第２の胴面となり、第３の面３０と第６の面５０とが重なった部分が対向する襠部となった箱状のボックスとなる。ボックス１２は、第５の面４６で形成される前面が低く、第２の面２６で形成される背面が高い形状のものであり、これらの高さの異なる部分における両端面に、２つの円形の孔３２、３４が形成されている。ここで、端部側の孔３２の直径は別の孔３４の直径より小さく、さらに、背面から端面にかけて矩形の貫通孔５４が形成されている。
【００５４】
なお、第３の面３０の幅が孔３２、３４形成部分において小さく形成され、第６の面５０の長さが変化するように形成されていることにより、組み立てられたボックス１２の両端面においては、孔３２、３４に隣接する幅の広い部分に第６の面５０が重なり合い、第６の面５０の端部は孔３２、３４が形成された前面側から背面側に向かって徐々に底面側に向かって下がっていき、背面側近傍では底面と平行になるように形成される。
【００５５】
この発明は、前記実施の形態に限らず、この発明の思想に基づき種々変形することができる。
例えば、ボックス１２を溶着によって所定の形状に成形するのではなく、溶着に代わる差し込み構造によって箱形に成形しても良い。
【００５６】
ボックス１２は、前記第２の折り目２８に沿って前記第１の介在片３０に細長い切れ目が形成されるとともに、前記第２の介在片５０に、前記切れ目に嵌挿できる頭部を備える挿入片を突設する。
第２の介在片５０との境界において折り曲げられた状態で連結して形成される挿入片を、前記切れ目に挿入することにより箱型が保持される。
【００５７】
蓋部材１４をボックス１２に連続する構造としては、図１７〜図２０に示すように、ボックス１２を閉蓋する開閉部材１１４を用いたものとしてもよい。
【００５８】
ケース１０は、平らな合成樹脂シートを折り曲げて箱状に成形され、開閉部材１１４は、合成樹脂により一体成型され、ボックス１２と開閉部材１１４とは、結合されて、ケース１０を構成する。
【００５９】
前記開閉部材１１４は、前記ケース１０のボックス１２の開口部１１２を閉塞（被蓋）する蓋部１２０と、ボックス１２に連結するための連結部１２２と、前記蓋部１２０と連結部１２２とを回転自在に連結する開閉可動部１２４とを有している。
【００６０】
前記連結部１２２は、連結部本体１２６と、前記連結部本体１２６の右側端及び左側端から外方にのびた挟持部１２８とを備える。
前記連結部本体１２６は、ボックス１２の第２の囲繞面４６又は第１の囲繞面２６に固定される領域を有している。
前記開閉部材１１４は、前記蓋部１２０と連結部１２２と開閉可動部１２４と連結部本体１２６と挟持部１２８とを合成樹脂により一体成型されてなる。
【００６１】
ボックス１２は、第２の囲繞面４６と、前記第２の囲繞面４６に対向する第１の囲繞面２６と、前記第２の囲繞面４６と第１の囲繞面２６との間に架設された、ケースの襠部を構成する第２の介在片５０及び第１の介在片３０と、前記第２の囲繞面４６と第１の囲繞面２６と第２の介在片５０と第１の介在片３０とにより囲繞された領域に設けられた基面２２とを有している。
ボックス１２は、第２の囲繞面４６と第１の囲繞面２６と第２の介在片５０と第１の介在片３０と基面２２とにより囲まれた胴部（収容部）に、被収納物Ｘを収納する。
【００６２】
開閉部材１１４の蓋部１２０は、前記ボックス１２の基面２２とは反対側の開口部１１２を覆う前蓋部１３０、前記開閉可動部１２４の両端の領域に続く端縁に設けられた右側蓋部１３２及び左側蓋部１３４並びにボックス１２の基面２２に対向する天部１３６を有する。
【００６３】
挟持部１２８は、連結部本体１２６の右側端から右外方に突き出し設けられた第１の挟持部１２８Ａと、連結部本体１２６の左側端から左外方に突き出し設けられた第２の挟持部１２８Ｂとを備える。
第１の挟持部１２８Ａと第２の挟持部１２８Ｂとは、左右対称に形成されている。
前記挟持部１２８は、第２の囲繞面４６と第１の囲繞面２６との間に形成された襠部を構成する第２の介在片５０及び第１の介在片３０の開口部１１２の領域（開閉部材を固定する領域１１６）を、表側と内側との間に跨って挟み、固定されるように形成されている。
挟持部１２８は、ボックス１２の内側に接合固定されて内側を支持する内側支持部１４０と、ボックス１２の外側に接合固定されて外側を支持する外側支持部１４２と、前記内側支持部１４０と外側支持部１４２との間に架け渡された架設部１４４とを備える。
前記内側支持部１４０及び外側支持部１４２は、連結部１２２に屈曲部１４６を介して連設されている。
【００６４】
挟持部１２８は、外側支持部１４２及び内側支持部１４０をボックス１２の襠部に固定するための支持固定部１５０を備える。
前記支持固定部１５０は、ボックス１２の襠部を構成する第２の介在片５０及び第１の介在片３０の開口部１１２の領域に固定された状態を維持させるための嵌合部１５２及び係合部１５８を備える。
内側支持部１４０は、突起１６０を備える。突起１６０は、孔３６に嵌合して固定される。
【００６５】
挟持部１２８は、ボックス１２の第２の介在片５０及び第１の介在片３０で構成されるボックス１２の蓋部１２０の開口部１１２を、内側支持部１４０と外側支持部１４２とによって挟持させて開閉部材を固定する領域１１６に固定される。
而して、ボックス１２は、開閉部材１１４の連結部１２２により保型され、且つ、挟持部１２８により開口部１１２の端縁を覆われて指等が当たっても痛くないように構成される。
【００６６】
この発明にかかる隅部の構造は、ボックス１２の底部２２に形成するのではなく、例えば、蓋部材１４に適用してもよい。
以下、蓋部材１４について、図２２〜図２７に基づいて説明する。
蓋部材１４の隅部の構造においては、前記基面２２は、天面であり、前記第１の囲繞面２６は前記天面２２の一端縁より垂設される第１の垂面であり、前記第２の囲繞面４６は前記天面２２の他端縁より垂設される第２の垂面である。前記第１の介在片３０は、前記第１の垂面と前記第２の垂面との間において前記第１の垂面と前記第２の垂面の端部を塞ぐように垂設される第１の襠部片３０であり、前記第２の介在片５０は前記第１の垂面と前記第２の垂面との間において前記第１の垂面と前記第２の垂面の端部を塞ぐように垂設されるとともに第１の襠部片３０に重なるように配置される第２の襠部片５０である。
【符号の説明】
【００６７】
１０  ケース
１２  ボックス
１４  蓋部材
２０  板材
２２  第１の面，基面，底部
２４  第１の折り目
２６  第２の面，第１の囲繞面，後胴部
２８  第２の折り目
３０  第３の面，第１の介在片，第１の襠部片
３２  孔
３４  孔
３６  孔
３８  第３の折り目
４０  第４の面，角部被覆片
４２  第１の切欠き部
４４  第４の折り目
４６  第５の面，第２の囲繞面，前胴部
４８  第５の折り目
５０  第６の面，第２の介在片，第２の襠部片
５２  第２の貫通孔
５４  貫通孔
１１２  開口部
１１４  開閉部材
１１６  開閉部材を固定する領域
１２０  蓋部
１２２  連結部
１２４  開閉可動部
１２６  連結部本体
１２８  挟持部
１２８Ａ  第１の挟持部
１２８Ｂ  第２の挟持部
１３０  前蓋部
１３２  右側蓋部
１３４  左側蓋部
１３６  天部
１４０  内側支持部
１４２  外側支持部
１４４  架設部
１４６  屈曲部
１５０  支持固定部
１５２  嵌合部
１５８  係合部
１６０  突起
Ｘ  被収納物
【図１】
0005992003.tif 000002
【図２】
0005992003.tif 000003
【図３】
0005992003.tif 000004
【図４】
0005992003.tif 000005
【図５】
0005992003.tif 000006
【図６】
0005992003.tif 000007
【図７】
0005992003.tif 000008
【図８】
0005992003.tif 000009
【図９】
0005992003.tif 000010
【図１０】
0005992003.tif 000011
【図１１】
0005992003.tif 000012
【図１２】
0005992003.tif 000013
【図１３】
0005992003.tif 000014
【図１４】
0005992003.tif 000015
【図１５】
0005992003.tif 000016
【図１６】
0005992003.tif 000017
【図１７】
0005992003.tif 000018
【図１８】
0005992003.tif 000019
【図１９】
0005992003.tif 000020
【図２０】
0005992003.tif 000021
【図２１】
0005992003.tif 000022
【図２２】
0005992003.tif 000023
【図２３】
0005992003.tif 000024
【図２４】
0005992003.tif 000025
【図２５】
0005992003.tif 000026
【図２６】
0005992003.tif 000027
【図２７】
0005992003.tif 000028
【図２８】
0005992003.tif 000029
【図２９】
0005992003.tif 000030